(57)【要約】      （修正有）【課題】子供のいたずらによる火災や火傷等の事故を防止するための機能を備えたガスライターを提供する。【解決手段】本体１２の頂部に押し下げ自在に設けられる着火操作用の押圧部１３と、相互に嵌合する内箱１５と外箱１４とを有し高電圧を発生する圧電ユニット１６と、ガスタンク１７に充填されたガスを噴出するガス噴出ノズル１８と、途中部位２１が内箱１５に押圧可能に接触し、端部２３がガス噴出ノズル１８の頸部２４を挟持して開弁及び閉弁する操作桿２５とを備え、押圧部１３は、頂部に設けられてヒンジ部２８を介して開閉自在に形成され且つ先端部に係止用の鈎部２９を有する押し釦蓋２６と、鈎部２９と上端部３０が係止すると共に内側に押し込んで鈎部２９の係止を解除可能な押し釦部２７とを有し、鈎部２９と上端部３０との係止を解除して押し釦蓋２６を開くと、内箱１５が上昇して圧電ユニット１６が高電圧を発生可能にリセットする構成とした。【選択図】図３
2013088052.tif 000002
【特許請求の範囲】
【請求項１】
ライター本体の頂部に押し下げ自在に設けられる着火操作用の押圧部と、
相互に嵌合する内箱と外箱とを有し高電圧を発生させてガスに着火するために設けられる圧電ユニットと、
ガスタンクに充填されたガスを噴出するガス噴出ノズルと、
一端部が前記押圧部の下端部に当接し、途中部位が前記内箱の先端部に押圧可能に接触し、他端部が前記ガス噴出ノズルの頸部を挟持して開弁及び閉弁可能に組み付けられる操作桿と
を少なくとも備えるガスライターであって、
前記押圧部は、前記頂部に設けられてヒンジ部を介して開閉自在に形成され且つ先端部に係止用の鈎部を有する押し釦蓋と、前記鈎部と上端部が係止すると共に内側に押し込んで当該鈎部の係止を解除可能な押し釦部とを有し、
前記鈎部と前記上端部との係止を解除して前記押し釦蓋を開くと、前記内箱が上昇して前記圧電ユニットが高電圧を発生可能にリセットする構成であること
を特徴とするガスライター。
【請求項２】
前記鈎部と前記上端部とは、連結部を介して連結状態であること
を特徴とする請求項１に記載のガスライター。
【請求項３】
前記押し釦部の両側には、スリットが形成されていること
を特徴とする請求項１に記載のガスライター。
【発明の詳細な説明】
【技術分野】
【０００１】
本発明は、ガスライターに関するものであり、更に詳しくは、子供のいたずらによる火災や火傷等の事故を防止するためのチャイルドレジスタンス（ＣＲ）機能を備えたガスライターに関するものである。
【背景技術】
【０００２】
従来、この種のチャイルドレジスタンス機能を備えたガスライターとしては、次のような構成のものが知られている。このガスライターは、ライター本体の上部に設けたガス噴出ノズルの先端部に、ライター本体を垂直な状態に立てるとガス噴出ノズルの噴射口を閉成し、且つライター本体を傾けると噴射口が開成する蓋部材を設けた構成である（特許文献１参照）。
【０００３】
このような構成のガスライターは、ライター本体を立てると噴射口が蓋部材で閉成するので、着火操作用の押圧部を押し下げても、噴射口から燃料が噴出せずに着火しない。また、ライター本体を傾けると蓋部材が移動して噴射口が開成するので、着火操作用の押圧部を押し下げると着火する。
【先行技術文献】
【特許文献】
【０００４】
【特許文献１】特開平１０−１１５４２３号公報
【発明の概要】
【発明が解決しようとする課題】
【０００５】
この従来例のガスライターおいては、子供がいたずらによってガスライターを両手で立てて押圧部を操作をしたときには着火しないが、しかしながら、ガスライターを傾けた場合には着火することとなり、結果的に安全性が低いという問題点を有している。
【０００６】
従って、従来例におけるガスライターにおいては、安全性をさらに向上させて、子供のいたずらによる火災や火傷等の事故を防止することに解決しなければならない課題を有している。
【課題を解決するための手段】
【０００７】
前記従来例の課題を解決するための本発明の要旨は、ライター本体の頂部に押し下げ自在に設けられる着火操作用の押圧部と、相互に嵌合する内箱と外箱とを有し高電圧を発生させてガスに着火するために設けられる圧電ユニットと、ガスタンクに充填されたガスを噴出するガス噴出ノズルと、一端部が前記押圧部の下端部に当接し、途中部位が前記内箱の先端部に押圧可能に接触し、他端部が前記ガス噴出ノズルの頸部を挟持して開弁及び閉弁可能に組み付けられる操作桿とを少なくとも備えるガスライターであって、前記押圧部は、前記頂部に設けられてヒンジ部を介して開閉自在に形成され且つ先端部に係止用の鈎部を有する押し釦蓋と、前記鈎部と上端部が係止すると共に内側に押し込んで当該鈎部の係止を解除可能な押し釦部とを有し、前記鈎部と前記上端部との係止を解除して前記押し釦蓋を開くと、前記内箱が上昇して前記圧電ユニットが高電圧を発生可能にリセットする構成である。
【０００８】
また、前記鈎部と前記上端部とは、連結部を介して連結状態であること、；
前記押し釦部の両側には、スリットが形成されていること、；
を含むものである。
【発明の効果】
【０００９】
本発明に係るガスライターによれば、押し釦部を内側に押し込んで、鈎部と上端部との係止を解除して、押し釦蓋を開かないと、内箱が完全に上昇できないので、圧電ユニットがリセットしない。この状態で押圧部を押し下げても、所謂空打ち状態となり圧電ユニットが高電圧を発生しないので着火しない。
つまり、ガスライターを着火するには、押し釦部の内側への押込み操作と、押圧部の押し下げ操作との２段階の操作をする必要があるので、子供がいたずらでガスライターを操作しても簡単には着火できないこととなり、安全性が向上するという優れた効果を奏する。
【００１０】
前記鈎部と前記上端部とは、連結部を介して連結状態であることによって、押し釦蓋が必要以上に開成しないので、押圧部を押し下げたときに、鈎部と上端部とが確実に係止できるという優れた効果を奏する。
【００１１】
前記押し釦部の両側には、スリットが形成されていることによって、押し釦部の内側への押込み操作が容易に行えるという優れた効果を奏する。
【図面の簡単な説明】
【００１２】
【図１】本発明に係るガスライター１１の縦断面図である。
【図２】本発明に係るガスライター１１の要部を示す縦断面図である。
【図３】本発明に係るガスライター１１の要部を示す縦断面図である。
【図４】本発明に係るガスライター１１の要部を示す縦断面図である。
【図５】押圧部１３の正面図である。
【図６】圧電ユニット１６の説明図である。
【発明を実施するための形態】
【００１３】
次に、本発明の実施の形態について図面を参照しながら説明する。まず、図１において、符号１１はガスライターを示し、このガスライター１１は、ライター本体１２の頂部に押し下げ自在に設けられる着火操作用の押圧部１３と、相互に嵌合する内箱１５と外箱１４とを有し高電圧を発生させてガスに着火するために設けられる圧電ユニット１６と、ガスタンク１７に充填されたガスを噴出するガス噴出ノズル１８と、一端部１９が押圧部１３の下端部２０に当接し、途中部位２１が内箱１５の先端部２２に押圧可能に接触し、他端部２３がガス噴出ノズル１８の頸部２４を挟持して開弁及び閉弁可能に組み付けられる操作桿２５とから構成される。
【００１４】
押圧部１３は、図１から図５に示すように、押し釦蓋２６と押し釦部２７とを有している。
【００１５】
押し釦蓋２６は、ライター本体１２の頂部に設けられてヒンジ部２８を介して開閉自在に形成される。また、押し釦蓋２６の先端部には、鈎状で係止用の鈎部２９が垂下した状態に連設されている。
【００１６】
押し釦部２７は、図２及び図３に示すように、上端部３０が鈎部２９と係合可能なように段差状に形成されている。また、押し釦部２７は、指で内側に押し込むことによって、鈎部２９と上端部３０との係止が解除できる仕組みである（図２及び図３参照）。
【００１７】
このようにして鈎部２９と上端部３０との係止が解除されると、押し釦蓋２６が上方に開くので、後述するように、内箱１５が上昇して圧電ユニット１６がリセットする構成である。
【００１８】
鈎部２９と上端部３０とは、連結部３１を介して連結状態に形成されている（図３参照）。この連結部３１の存在によって、押し釦蓋２６が必要以上に開成しないので、押圧部１３を押し下げたときに、鈎部２９と上端部３０とが確実に係止できる。
【００１９】
押し釦部２７の両側には、図５に示すように、スリット３２が形成されており、このスリット３２の存在によって、押し釦部２７の内側への押込み操作が容易に行える。また、このスリット３２を介して両側にそれぞれ側部３３が延設されている。
【００２０】
圧電ユニット１６は、従来からライター等に広く用いられている高電圧の発生装置であって、図６に示すように、相互に嵌合する内箱１５と外箱１４とを有し、内箱１５にはアクションスプリング３６が配設され、外箱１４にはバックアップスプリング３７が配設されている。内箱１５は外箱１４に対して押し下げることができて、内箱１５を押し下げた時にはバックアップスプリング３７の付勢力によって上昇方向に付勢される。
【００２１】
内箱１５には、案内溝３８が形成されており、案内溝３８の下端縁３８ａは傾斜状に形成されている。また、案内溝３８には、ハンマーピン３９が配設されており、ハンマーピン３９は下端縁３８ａに沿って移動できる。
【００２２】
外箱１４は、Ｌ字状の摺動溝４０が形成されており、図６においては、摺動溝４０の水平位置（リセット位置）にハンマーピン３９が位置している。
【００２３】
外箱１４の下部には、導電線４１が接続しており、導電線４１が上方に向けて延出して、その先端には放電端子４２が連設している（図１参照）。
【００２４】
なお、圧電ユニット１６は、導電線４１を備えているものの他に、導電線４１を備えずに別部品として導電線をライター構造内で圧電ユニットに接触させる方法のものが存在するが、本発明のガスライター１１では、両者とも使用できることは勿論である。
【００２５】
次に、このような構成の圧電ユニット１６の動作について説明する。まず、内箱１５を押し下げると、ハンマーピン３９が下端縁３８ａに沿って斜め方向に移動し、摺動溝４０の垂直位置４０ａに移動した時に、アクションスプリング３６の付勢力によってハンマーピン３９が一気に下降する。この時、図示はしないがハンマーピン３９近傍のハンマーが、外箱１４の下部に設けた圧電素子を打撃して高電圧を発生させる仕組みになっている。
【００２６】
このように高電圧を発生させた後は、内箱１５がバックアップスプリング３７の付勢力（内箱１５の戻り力）によって上昇し、ハンマーピン３９が摺動溝４０を上昇して摺動溝４０の水平位置（リセット位置）に戻る（図６参照）。つまり、圧電ユニット１６がリセットして、高電圧の発生が可能になる。
【００２７】
ガス噴出ノズル１８は、下方のガスタンク１７に充填されたガスを噴出する部位であり、その下部側にはガス吸い上げ用の芯３５が連設している。
【００２８】
また、ガス噴出ノズル１８には、頸部２４が設けられている。頸部２４は、操作桿２５の他端部２３で挟持されており、この他端部２３の上方移動及び下方移動によって、ガス噴出ノズル１８の開弁及び閉弁の操作ができる仕組みである（図３及び図４参照）。
【００２９】
操作桿２５は、一端部１９が湾曲状に形成されており、この一端部１９が押圧部１３の下端部２０に当接している。従って、押圧部１３を指で押し下げると一端部１９も一緒に押し下がる（図３及び図４参照）。
【００３０】
一端部１９から延出する途中部位２１は、略平坦状に形成されており、この途中部位２１が内箱１５の先端部２２に押圧可能に接触している。従って、押圧部１３を指で押し下げると途中部位２１が内箱１５を押し下げることとなる（図３及び図４参照）。
【００３１】
途中部位２１から延出される他端部２３は、図示はしないが二股状に形成されおり、ガス噴出ノズル１８の頸部２４を挟持している。他端部２３は、上述したように、上方に移動するとガス噴出ノズル１８が開弁し（図４参照）、他端部２３が下方に移動するとガス噴出ノズル１８が閉弁する（図３参照）。
【００３２】
要するに、押圧部１３を指で押し下げると、操作桿２５の一端部１９が押し下がって、途中部位２１が内箱１５を押し下げる一方、他端部２３は、梃子の作用によって上方に移動して、ガス噴出ノズル１８を開弁する（図４参照）。
【００３３】
また、押圧部１３から指を離すと、内箱１５が戻り力（バックアップスプリング３７による付勢力）により上昇し、操作桿２５の途中部位２１及び一端部１９を押し上げて押圧部１３が上昇する一方、他端部２３は、下方に移動してガス噴出ノズル１８を閉弁する（図１参照）。
【００３４】
このような仕組みの操作桿２５は、導電性材料で形成されており、この操作桿２５の存在によって、圧電ユニット１６とガス噴出ノズル１８とが電気的に接続することとなる。従って、圧電ユニット１６が高電圧を発生させた時に、上述の放電端子４２とガス噴出ノズル１８との間に放電火花が発生する。
【００３５】
次に、以上のようなガスライター１１の動作について説明する。まず、押圧部１３を指で押し下げると、操作桿２５の途中部位２１が圧電ユニット１６の内箱１５を押し下げる一方、操作桿２５の他端部２３が梃子の作用によって上昇し、ガス噴出ノズル１８を開弁してガスが噴出する（図４参照）。
【００３６】
内箱１５がさらに押し下げられて、圧電ユニット１６の打撃機構が働くと高電圧が発生して、ガス噴出ノズル１８から噴出したガスが放電火花によって着火する（図４参照）。
【００３７】
押圧部１３の押し下げ操作によって鈎部２９と上端部３０とが係止する。押圧部１３から指を離すと内箱１５がバックアップスプリング３７による付勢力（内箱１５の戻り力）によって上昇し、操作桿２５の途中部位２１及び一端部１９と共に押圧部１３が上昇する（図１参照）。
【００３８】
この状態の時、鈎部２９と上端部３０とが係止しているので、内箱１５が完全に上昇できず、圧電ユニット１６がリセットされない。つまり、上述したように、ハンマーピン３９が摺動溝４０の水平位置（リセット位置）に戻らないので、この状態で押圧部１３を押し下げても、所謂空打ち状態となって圧電ユニット１６で高電圧が発生せずに着火できない。
【００３９】
着火するには、押し釦部２７を内側に押し込んで鈎部２９と上端部３０との係止を解除して押し釦蓋２６を上方に開くことで、内箱１５が上昇して圧電ユニット１６がリセットして、再度の着火が可能になる。
【００４０】
以上のように構成されるガスライター１１は、押し釦部２７を内側に押し込んで、鈎部２９と上端部３０との係止を解除し、押し釦蓋２６を開かないと、内箱１５が完全に上昇できないので、圧電ユニット１６がリセットしない。この状態で押圧部１３を押し下げても、所謂空打ち状態となり圧電ユニット１６が高電圧を発生しないので着火しない。
【００４１】
要するに、ガスライター１１を着火するには、押し釦部２７の内側への押込み操作と、押圧部１３の押し下げ操作との２段階の操作をする必要があるので、子供がいたずらでガスライター１１を操作しても簡単には着火できないこととなり、チャイルドレジスタンス機能が高い安全性の向上したガスライター１１を提供できるのである。
【符号の説明】
【００４２】
１１  ガスライター
１２  ライター本体
１３  押圧部
１４  外箱
１５  内箱
１６  圧電ユニット
１７  ガスタンク
１８  ガス噴出ノズル
１９  一端部
２０  下端部
２１  途中部位
２２  先端部
２３  他端部
２４  頸部
２５  操作桿
２６  押し釦蓋
２７  押し釦部
２８  ヒンジ部
２９  鈎部
３０  上端部
３１  連結部
３２  スリット
３３  側部
３５  芯
３６  アクションスプリング
３７  バックアップスプリング
３８  案内溝
３８ａ  下端縁
３９  ハンマーピン
４０  摺動溝
４０ａ  垂直位置
４１  導電線
４２  放電端子
【図１】
2013088052.tif 000003
【図２】
2013088052.tif 000004
【図３】
2013088052.tif 000005
【図４】
2013088052.tif 000006
【図５】
2013088052.tif 000007
【図６】
2013088052.tif 000008